(57)【要約】【課題】ユーザの忘れ物を防止する。【解決手段】本発明の携帯端末１０は、ユーザが携行する物品２０に取り付けられるＲＦＩＤタグ２１から物品２０の識別番号を読み取るＲＦＩＤリーダ部１５と、ユーザのスケジュール、スケジュールの種別ごとに必要な物品２０およびその物品２０の識別番号が登録される記憶部１３と、スケジュールの実行時刻になると、そのスケジュールに必要な物品２０の識別番号とＲＦＩＤタグ２１から読み取った識別番号とを照合して不足している物品２０があるか判定するスケジュール管理部１２と、スケジュールの実行に不足している物品２０があると、不足している物品２０を表示し、スケジュールの実行に必要な物品２０が全て揃うと、その旨を表示する表示部１７と、スケジュールの実行時刻になると、その旨を報知し、スケジュールの実行に必要な物品２０が全て揃うと、その時点で報知を停止する報知部１６と、を有する。【選択図】図１
2008225751.tif 000002
【特許請求の範囲】
【請求項１】
ユーザが携行する物品に取り付けられているＲＦＩＤから当該物品の識別番号を読み取るリーダ部と、
ユーザのスケジュールが登録されるとともに、スケジュールの種別ごとに当該スケジュールの実行に必要な物品が登録され、さらに、物品ごとに当該物品の識別番号が登録される記憶部と、
前記記憶部に登録されたユーザのスケジュールのいずれかを実行する時刻になったと判定すると、当該スケジュールの種別に応じて前記記憶部から当該スケジュールの実行に必要な物品および当該物品の識別番号を読み出し、前記記憶部から読み出した識別番号と前記リーダ部で読み取った識別番号とを照合して不足している物品があるか否かを判定するスケジュール管理部と、
前記スケジュール管理部によりスケジュールの実行に不足している物品があると判定されると、当該不足している物品を表示し、前記スケジュール管理部によりスケジュールの実行に必要な物品が全て揃っていると判定されると、その旨を表示する表示部と、
前記スケジュール管理部によりスケジュールを実行する時刻になったと判定されると、その旨を音および振動の少なくとも一方でユーザに報知し、前記スケジュール管理部によりスケジュールの実行に必要な物品が全て揃っていると判定されると、その時点で報知を停止する報知部と、を有する携帯端末。
【請求項２】
前記記憶部には、スケジュールの種別ごとに当該スケジュールの実行に必要な物品として、当該スケジュールの実行日が平日である場合に必要な物品と、当該スケジュールの実行日が休日である場合に必要な物品と、当該スケジュールの実行日が平日または休日とは無関係に常に必要な物品と、が登録され、
前記スケジュール管理部は、前記記憶部に登録されたスケジュールの実行日の種別が平日または休日であるかに応じて、前記記憶部から当該スケジュールの実行に必要な物品および当該物品の識別番号を読み出す、請求項１に記載の携帯端末。
【請求項３】
前記記憶部には、スケジュールの種別ごとに当該スケジュールの実行に必要な物品として、当該スケジュールが特定の用事である場合に必要な物品がさらに登録され、
前記スケジュール管理部は、前記記憶部に登録されたスケジュールの用事の種別に応じて、前記記憶部から当該スケジュールの実行に必要な物品および当該物品の識別番号をさらに読み出す、請求項２に記載の携帯端末。
【請求項４】
携帯端末による物品管理方法であって、
ユーザのスケジュールを記憶部に登録するとともに、スケジュールの種別ごとに当該スケジュールの実行に必要な物品を前記記憶部に登録し、さらに、物品ごとに当該物品の識別番号を前記記憶部に登録する登録ステップと、
前記記憶部に登録されたユーザのスケジュールのいずれかを実行する時刻になったと判定すると、ユーザが携行する物品に取り付けられているＲＦＩＤから当該物品の識別番号を読み取るとともに、当該スケジュールの種別に応じて前記記憶部から当該スケジュールの実行に必要な物品および当該物品の識別番号を読み出し、前記記憶部から読み出した識別番号と前記ＲＦＩＤから読み取った識別番号とを照合して不足している物品があるか否かを判定する判定ステップと、
スケジュールの実行に不足している物品があると判定されると、当該不足している物品を表示し、スケジュールの実行に必要な物品が全て揃っていると判定されると、その旨を表示する表示ステップと、
スケジュールを実行する時刻になったと判定されると、その旨を音および振動の少なくとも一方でユーザに報知し、スケジュールの実行に必要な物品が全て揃っていると判定されると、その時点で報知を停止する報知ステップと、を有する物品管理方法。
【請求項５】
前記登録ステップでは、スケジュールの種別ごとに当該スケジュールの実行に必要な物品として、当該スケジュールの実行日が平日である場合に必要な物品と、当該スケジュールの実行日が休日である場合に必要な物品と、当該スケジュールの実行日が平日または休日とは無関係に常に必要な物品と、を前記記憶部に登録し、
前記判定ステップでは、前記記憶部に登録されたスケジュールの実行日が平日または休日であるかに応じて、前記記憶部から当該スケジュールの実行に必要な物品および当該物品の識別番号を読み出す、請求項４に記載の物品管理方法。
【請求項６】
前記登録ステップでは、スケジュールの種別ごとに当該スケジュールの実行に必要な物品として、当該スケジュールが特定の用事である場合に必要な物品を前記記憶部にさらに登録し、
前記判定ステップでは、前記記憶部に登録されたスケジュールの用事に応じて、前記記憶部から当該スケジュールの実行に必要な物品および当該物品の識別番号をさらに読み出す、請求項５に記載の物品管理方法。
【発明の詳細な説明】
【技術分野】
【０００１】
本発明は、携帯端末、携帯端末による物品管理方法に関する。
【背景技術】
【０００２】
従来、ユーザが外出する際に携行する物品のチェックは、ユーザ本人の意識で行うしかなく、急いでいる場合などは忘れ物をする可能性が高かった。
【０００３】
最近、ユーザの忘れ物を防止するために、例えば、特許文献１には、ユーザのスケジュールの内容に基づいて、スケジュールの実行に必要な物品のリストを、ユーザの携帯端末に送信する技術が開示されている。
【特許文献１】特開２００５−０７８３３１号公報
【発明の開示】
【発明が解決しようとする課題】
【０００４】
しかし、特許文献１に開示された技術においては、ユーザは、スケジュールの実行に必要な物品を表示できるものの、実際に忘れ物をした場合に警告等はしないため、ユーザの忘れ物を防止することは困難であると考えられる。
【０００５】
そこで、本発明の目的は、ユーザが忘れ物をした場合に警告等することにより、ユーザの忘れ物を防止することができる携帯端末、携帯端末による物品管理方法を提供することにある。
【課題を解決するための手段】
【０００６】
上記目的を達成するために本発明の携帯端末は、
ユーザが携行する物品に取り付けられているＲＦＩＤから当該物品の識別番号を読み取るリーダ部と、
ユーザのスケジュールが登録されるとともに、スケジュールの種別ごとに当該スケジュールの実行に必要な物品が登録され、さらに、物品ごとに当該物品の識別番号が登録される記憶部と、
前記記憶部に登録されたユーザのスケジュールのいずれかを実行する時刻になったと判定すると、当該スケジュールの種別に応じて前記記憶部から当該スケジュールの実行に必要な物品および当該物品の識別番号を読み出し、前記記憶部から読み出した識別番号と前記リーダ部で読み取った識別番号とを照合して不足している物品があるか否かを判定するスケジュール管理部と、
前記スケジュール管理部によりスケジュールの実行に不足している物品があると判定されると、当該不足している物品を表示し、前記スケジュール管理部によりスケジュールの実行に必要な物品が全て揃っていると判定されると、その旨を表示する表示部と、
前記スケジュール管理部によりスケジュールを実行する時刻になったと判定されると、その旨を音および振動の少なくとも一方でユーザに報知し、前記スケジュール管理部によりスケジュールの実行に必要な物品が全て揃っていると判定されると、その時点で報知を停止する報知部と、を有することを特徴とする。
【０００７】
また、上記携帯端末において、前記記憶部には、スケジュールの実行日の種別ごとに、平日における当該スケジュールの実行に必要な物品と、休日における当該スケジュールの実行に必要な物品と、平日または休日とは無関係に当該スケジュールの実行に常に必要な物品と、が登録され、
前記スケジュール管理部は、前記記憶部に登録されたスケジュールの実行日の種別が平日または休日であるかに応じて、前記記憶部から当該スケジュールの実行に必要な物品および当該物品の識別番号を読み出すことを特徴とする。
【０００８】
さらに、上記携帯端末において、前記記憶部には、スケジュールの用事の種別ごとに、当該スケジュールの実行に必要な物品がさらに登録され、
前記スケジュール管理部は、前記記憶部に登録されたスケジュールの用事の種別に応じて、前記記憶部から当該スケジュールの実行に必要な物品および当該物品の識別番号をさらに読み出すことを特徴とする。
【発明の効果】
【０００９】
本発明によれば、いずれかのスケジュールの出発時刻になると、まず、その旨を報知部により報知してユーザの注意喚起を促す。そして、ユーザが携行する物品にスケジュールの実行に必要な物品が不足していれば、その不足している物品を表示部に表示し、全ての物品が揃った時点で報知を停止する。
【００１０】
したがって、ユーザは、スケジュールの出発時刻になったこと、スケジュールの実行に必要な物品が不足していること、および必要な物品が全て揃ったこと、を容易に認識することができるため、ユーザの忘れ物を防止することができるという効果が得られる。
【発明を実施するための最良の形態】
【００１１】
以下に、本発明を実施するための最良の形態について図面を参照して説明する。
【００１２】
図１に、本実施形態の携帯端末１０の構成を示す。
【００１３】
本実施形態では、財布や免許証等の物品２０のそれぞれに、その物品２０に固有の識別番号が書き込まれたＲＦＩＤタグ２１が取り付けられていることを前提とする。
【００１４】
携帯端末１０は、制御部１１と、スケジュール管理部１２と、記憶部１３と、入力部１４と、ＲＦＩＤリーダ部１５と、報知部１６と、表示部１７と、を有している。
【００１５】
ＲＦＩＤリーダ部１５は、ユーザが携行する物品２０のＲＦＩＤタグ２１から、その物品２０の識別番号を読み取る。
【００１６】
入力部１４は、キーパッド等である。例えば、ユーザは、入力部１４を介して、自身のスケジュールを設定したり、スケジュールの種別（スケジュールの実行日の種別や用事の種別）ごとに、そのスケジュールの実行に必要な物品２０を設定したり、ＲＦＩＤリーダ部１５により識別番号を読み取った物品２０の物品名を設定したりする。
【００１７】
記憶部１３は、例えば、ユーザが入力部１４を介して設定した事項が登録された、物品識別番号設定テーブル１０１、物品設定テーブル１０２、およびスケジュール設定テーブル１０３を記憶する。
【００１８】
図２に、物品識別番号設定テーブル１０１の一例を示す。
【００１９】
物品識別番号設定テーブル１０１は、物品２０ごとにその物品２０の識別番号が登録されるテーブルであり、スケジュール設定の前に生成される。ＲＦＩＤリーダ部１５によりＲＦＩＤタグ２１から物品２０の識別番号を読み取り、識別番号を読み取った物品２０の物品名を入力部１４から入力すると、物品識別番号設定テーブル１０１が得られる。
【００２０】
図３に、物品設定テーブル１０２の一例を示す。
【００２１】
物品設定テーブル１０２は、スケジュールの種別ごとに、そのスケジュールの実行に必要な物品２０が登録されるテーブルである。具体的には、スケジュールの実行日（全曜日／平日／休日）の種別ごとに、また、用事（通院等、通常以外の外出のこと）の種別ごとに、物品２０が登録される。図３では、スケジュールの実行日が平日または休日であるかとは無関係に全曜日で常に必要な物品２０、スケジュールの実行日が平日である場合に必要な物品２０、スケジュールの実行日が休日である場合に必要な物品２０、その他、スケジュールが特定の用事である場合に必要な物品２０、という区別で物品２０が登録されている。
【００２２】
図４に、スケジュール設定テーブル１０３の一例を示す。
【００２３】
スケジュール設定テーブル１０３は、ユーザのスケジュールが登録されるテーブルである。図４では、スケジュールごとに、出発日および出発時刻が登録され、さらに、特定の用事の場合は用事種別が登録される。なお、図４では、「平日」や「休日（祝祭日を含む。以下、同じ）」は登録されていないが、「平日」または「休日」のいずれであるかは、スケジュール管理部１２がカレンダー情報に従って自動的に判断するものとする。
【００２４】
スケジュール管理部１２は、ソフトウェアである。スケジュール設定テーブル１０３に登録されたいずれかのスケジュールの出発時刻になると、まず、その旨を表す報知情報を報知部１６に出力する。次に、スケジュールの種別に応じて物品設定テーブル１０２からスケジュールの実行に必要な物品２０を読み出し、さらに、その物品２０の識別番号を物品識別番号設定テーブル１０１から読み出す。次に、物品識別番号設定テーブル１０１から読み出した識別番号とＲＦＩＤリーダ部１５で読み取った識別番号とを照合して不足している物品２０があるか否かを判定する。その後、スケジュールの実行に不足している物品２０があると判定した場合は、その不足している物品２０を表す表示情報を表示部１７に出力し、スケジュールの実行に必要な物品２０が全て揃っていると判定した場合は、その旨を表す表示情報および報知情報を表示部１７および報知部１６にそれぞれ出力する。
【００２５】
報知部１６は、スピーカおよびバイブの少なくとも一方を含み、スケジュール管理部１２から出力された報知情報を基に、スケジュール設定テーブル１０３に登録されたいずれかのスケジュールの出発時刻になったことを確認すると、その旨を音および振動の少なくとも一方でユーザに報知し、また、スケジュールの実行に必要な物品２０が全て揃ったことを確認すると、その時点で報知を停止する。
【００２６】
表示部１７は、液晶パネル等のディスプレイであり、スケジュール管理部１２から出力された表示情報を基に、スケジュールの実行に不足している物品２０があることを確認すると、その不足している物品２０を表示し、また、スケジュールの実行に必要な物品２０が全て揃ったことを確認すると、その旨を表示する。
【００２７】
制御部１１は、ＣＰＵであり、各部に制御信号を出力して各部の制御を行う。
【００２８】
以下、本実施形態の携帯端末の特徴的部分であるスケジュール管理部１２の動作について、図５のフローチャートを参照して説明する。ここでは、記憶部１３には、すでに、上述した物品識別番号設定テーブル１０１、物品設定テーブル１０２、およびスケジュール設定テーブル１０３が記憶されているものとして説明する。
【００２９】
まず、スケジュール設定テーブル１０３を参照して、いずれかのスケジュールの出発時刻になったか否かを判定する（ステップＳ１）。出発時刻になると、その旨を音および振動の少なくとも一方で報知部１６に報知させる。
【００３０】
次に、現在が平日か休日かを判定し（ステップＳ２）、平日の場合は、物品設定テーブル１０２から「全曜日」と「平日」の物品２０の物品名を読み出し、「確認物」として記憶部１３に一時的に設定する（ステップＳ３）。休日の場合は、同様に、「全曜日」と「休日」の物品２０の物品名を「確認物」として設定する（ステップＳ４）。
【００３１】
次に、スケジュール設定テーブル１０３を参照して、そのスケジュールについて用事種別の有無を判定し（ステップＳ５）、用事種別がある場合は、物品設定テーブル１０２から該当する用事種別の物品２０の物品名を読み出し、「確認物」として記憶部１３に追加設定する（ステップＳ６）。
【００３２】
次に、ＲＦＩＤリーダ部１５を起動し、ユーザが携行する物品２０に取り付けられているＲＦＩＤタグ２１から、その物品２０の識別番号を順次読み取らせる（ステップＳ７）。この読み取りは、ユーザが各物品２０をＲＦＩＤリーダ部１５に近づけることにより行う。
【００３３】
次に、物品識別番号設定テーブル１０１から、「確認物」として設定された全ての物品２０の識別番号を読み出し、読み出した全ての識別番号を、ＲＦＩＤタグ２１から読み取ったか否かを判定する（ステップＳ８）。例えば、「平日」で「通院」以外の用事の場合は、「確認物」として「財布、家の鍵、定期券」が設定されるので、「財布」「家の鍵」「定期券」の各々の識別番号を全て読み取ったか否かを判定する。
【００３４】
もし、「確認物」の識別番号を全て読み取っていない場合は、不足している物品２０を表示部１７に表示させる（ステップＳ９）。
【００３５】
一方、「確認物」の識別番号を全て読み取った場合は、全ての物品２０が揃った旨を表示部１７に表示させる（ステップＳ１０）。ステップＳ１０が実行されると、報知部１６による報知を停止し、処理を終了する。
【００３６】
上述したように本実施形態においては、いずれかのスケジュールの出発時刻になると、まず、その旨を報知部１６により報知してユーザの注意喚起を促す。そして、ユーザが携行する物品２０にスケジュールの実行に必要な物品２０が不足していれば、その不足している物品２０を表示部１７に表示し、全ての物品２０が揃った時点で報知を停止する。
【００３７】
したがって、ユーザは、スケジュールの出発時刻になったこと、スケジュールの実行に必要な物品２０が不足していること、および必要な物品２０が全て揃ったこと、を容易に認識することができるため、ユーザの忘れ物を防止することができる。
【図面の簡単な説明】
【００３８】
【図１】本発明の一実施形態の携帯端末の構成を示すブロック図である。
【図２】図１に示した記憶部に記憶された物品識別番号設定テーブルの一例を示す図である。
【図３】図１に示した記憶部に記憶された物品設定テーブルの一例を示す図である。
【図４】図１に示した記憶部に記憶されたスケジュール設定テーブルの一例を示す図である。
【図５】図１に示したスケジュール管理部の動作を説明するフローチャートである。
【符号の説明】
【００３９】
１０    携帯端末
１１    制御部
１２    スケジュール管理部
１３    記憶部
１４    入力部
１５    ＲＦＩＤリーダ部
１６    報知部
１７    表示部
２０    物品
２１    ＲＦＩＤタグ
１０１    物品識別番号設定テーブル
１０２    物品設定テーブル
１０３    スケジュール設定テーブル
【図１】
2008225751.tif 000003
【図２】
2008225751.tif 000004
【図３】
2008225751.tif 000005
【図４】
2008225751.tif 000006
【図５】
2008225751.tif 000007